(57)【要約】      （修正有）【課題】きめ細かい空調制御することができるように室内外機の配管接続関係を確立することができる空気調和システムおよび空気調和システムの室内外機配管接続関係確立方法を提供する。【解決手段】空気調和システム110は、第１空気調和機100ａ、第２空気調和機100ｂ、および通信ネットワーク40を備える。通信ネットワーク40は、第１空気調和機100ａの熱源ユニット20ａ、第１空気調和機100ａの利用ユニット20ａ、第２空気調和機100ｂの熱源ユニット20ｂ、および第２空気調和機100ｂの利用ユニット10ｂを通信接続する。そして、第１空気調和機100ａおよび第２空気調和機100ｂの利用ユニット10ａ，10ｂそれぞれは、その内部またはその近傍に、利用ユニット自己アドレス保持部、イベント検出部、ブロードキャスト部、受信部、および利用ユニットアドレス情報保持部を有する。【選択図】  図１
2004353948.tif 000002
【特許請求の範囲】
【請求項１】
１または複数の熱源ユニット（２０ａ）、および配管（３０ａ）またはダクトを介して前記熱源ユニット（２０ａ）と接続される複数の利用ユニット（１０ａ）から構成される第１空気調和機（１００ａ）と、
１または複数の熱源ユニット（２０ｂ）、および配管（３０ｂ）またはダクトを介して前記熱源ユニット（２０ｂ）と接続される複数の利用ユニット（１０ｂ）から構成される第２空気調和機（１００ｂ）と、
前記第１空気調和機（１００ａ）の前記熱源ユニット（２０ａ）、前記第１空気調和機（１００ａ）の前記利用ユニット（１０ａ）、前記第２空気調和機（１００ｂ）の前記熱源ユニット（２０ｂ）、および前記第２空気調和機（１００ｂ）の前記利用ユニット（１０ｂ）を通信接続する通信ネットワーク（４０）と、を備え、
前記第１空気調和機（１００ａ）および前記第２空気調和機（１００ｂ）の前記利用ユニット（１０ａ，１０ｂ）それぞれは、その内部またはその近傍に、利用ユニット自己アドレス（５１ａ，５１ｂ）を保持する利用ユニット自己アドレス保持部（１７ａ，１７ｂ）と、熱源ユニット（２０ａ，２０ｂ）の一部または全部の運転により前記配管（３０ａ，３０ｂ）またはダクトを介して発生するイベントを検出するイベント検出部（１２ａ，１２ｂ）と、前記イベントの検出に反応して前記利用ユニット自己アドレス（５１ａ，５１ｂ）を前記通信ネットワーク（４０）上にブロードキャストするブロードキャスト部（１４ａ，１４ｂ）と、を有し、
前記第１空気調和機（１００ａ）および前記第２空気調和機（１００ｂ）の前記熱源ユニット（２０ａ，２０ｂ）それぞれは、その内部またはその近傍に、前記通信ネットワーク（４０）上にブロードキャストされる前記利用ユニット自己アドレス（５１ａ，５１ｂ）を受信する受信部（２１ａ，２１ｂ）と、前記利用ユニット自己アドレス（５１ａ，５１ｂ）が登録される利用ユニットアドレステーブル（２７ａ，２７ｂ）を保持する利用ユニットアドレス情報保持部（２４ａ，２４ｂ）と、を有する、
空気調和システム（１１０）。
【請求項２】
前記ブロードキャスト部（１４ａ，１４ｂ）は、前記イベントの検出時刻情報とともに前記利用ユニット自己アドレス（５１ａ，５１ｂ）を前記通信ネットワーク（４０）上にブロードキャストし、
前記利用ユニットアドレステーブル（２７ａ，２７ｂ）には、前記利用ユニット自己アドレス（５１ａ，５１ｂ）とともに前記イベントの検出時刻情報が登録される、
請求項１に記載の空気調和システム（１１０）。
【請求項３】
前記イベントは、
利用ユニット（１０ａ，１０ｂ）の熱交換器（その内部を含む。）（１１ａ，１１ｂ）、利用ユニット（１０ａ，１０ｂ）の内部もしくはその近傍に配置される配管（その内部を含む。）（３０ａ，３０ｂ）もしくはダクト（その内部を含む。）、または利用ユニット（１０ａ，１０ｂ）の吸い込み口の温度の変化または温度の所定温度への到達、
利用ユニット（１０ａ，１０ｂ）の熱交換器（１１ａ，１１ｂ）、または利用ユニット（１０ａ，１０ｂ）の内部もしくはその近傍に配置される配管（３０ａ，３０ｂ）もしくはダクトの振動の発生、
利用ユニット（１０ａ，１０ｂ）の熱交換器（１１ａ，１１ｂ）、または利用ユニット（１０ａ，１０ｂ）の内部もしくはその近傍に配置される配管（３０ａ，３０ｂ）もしくはダクトの内部圧力の変化または内部圧力の所定圧力への到達のうち少なくとも１つを含む、
請求項１または２に記載の空気調和システム（１１０）。
【請求項４】
請求項１から３のいずれかに記載の空気調和システム（１１０）において、前記利用ユニット（１０ａ，１０ｂ）と前記熱源ユニット（２０ａ，２０ｂ）との前記配管（３０ａ，３０ｂ）または前記ダクトの接続関係を確立する空気調和システムの室内外機配管接続関係確立方法であって、
前記空気調和システム（１１０）に属する全ての前記利用ユニット（１０ａ，１０ｂ）を運転させる第１運転ステップと、
複数の前記熱源ユニット（２０ａ，２０ｂ）のうちいずれか１台または１組の前記熱源ユニット（２０ａ，２０ｂ）の一部または全部を運転させる第２運転ステップと、
前記イベント検出部（１２ａ，１２ｂ）が前記イベントを検出するイベント検出ステップと、
前記ブロードキャスト部（１４ａ，１４ｂ）が前記イベントの検出に反応して前記利用ユニット自己アドレス（５１ａ，５１ｂ）を前記通信ネットワーク（４０）上にブロードキャストするブロードキャストステップと、
前記利用ユニットアドレステーブル（２７ａ，２７ｂ）に、前記通信ネットワーク（４０）上にブロードキャストされた前記利用ユニット自己アドレス（５１ａ，５１ｂ）を登録する利用ユニット自己アドレス登録ステップと、
を備える、空気調和機の室内外機配管接続関係確立方法。
【請求項５】
請求項１から３のいずれかに記載の空気調和システム（１１０）において、前記利用ユニット（１０ａ，１０ｂ）と前記熱源ユニット（２０ａ，２０ｂ）との前記配管（３０ａ，３０ｂ）または前記ダクトの接続関係を確立する空気調和システムの室内外機配管接続関係確立プログラム（２５ａ，２５ｂ，５２ａ，５２ｂ）であって、
前記イベント検出部（１２ａ，１２ｂ）において前記イベントが検出された場合に、前記利用ユニット自己アドレス（５１ａ，５１ｂ）を前記通信ネットワーク（４０）上にブロードキャストするように指令するブロードキャスト指令ステップと、
前記通信ネットワーク（４０）上にブロードキャストされた前記利用ユニット自己アドレス（５１ａ，５１ｂ）を、前記利用ユニットアドレステーブル（２７ａ，２７ｂ）に登録するように指令する利用ユニット自己アドレス登録指令ステップと、
を備える、空気調和機の室内外機配管接続関係確立プログラム（２５ａ，２５ｂ，５２ａ，５２ｂ）。
【請求項６】
１または複数の熱源ユニット（２０ａ，２０ｂ）、および配管（３０ａ，３０ｂ）またはダクトを介して前記熱源ユニット（２０ａ，２０ｂ）と接続される複数の利用ユニット（１０ａ，１０ｂ）から構成される空気調和機（１００ａ，１００ｂ）複数と、
前記利用ユニット（１０ａ，１０ｂ）それぞれに対して設けられ、前記利用ユニット（１０ａ，１０ｂ）を管理する利用ユニット管理部（１４ａ，１４ｂ）と、
前記熱源ユニット（２０ａ，２０ｂ）それぞれに対して設けられ、前記熱源ユニット（２０ａ，２０ｂ）を管理する熱源ユニット管理部（２１ａ，２１ｂ）と、
前記熱源ユニット管理部（２１ａ，２１ｂ）と前記利用ユニット管理部（１４ａ，１４ｂ）とを通信接続する通信ネットワーク（４０）と、を備え、
前記利用ユニット管理部（１４ａ，１４ｂ）は、利用ユニット自己アドレス（５１ａ，５１ｂ）を保持する利用ユニット自己アドレス保持部（１７ａ，１７ｂ）と、熱源ユニット（２０ａ，２０ｂ）の一部または全部の運転により前記配管（３０ａ，３０ｂ）またはダクトを介して発生するイベントを検出するイベント検出部（１２ａ，１２ｂ）と、前記イベントの検出に反応して前記利用ユニット自己アドレス（５１ａ，５１ｂ）を前記通信ネットワーク（４０）上にブロードキャストするブロードキャスト部（１４ａ，１４ｂ）と、を有し、
前記熱源ユニット管理部（２１ａ，２１ｂ）は、前記通信ネットワーク（４０）上にブロードキャストされる前記利用ユニット自己アドレス（５１ａ，５１ｂ）を受信する受信部（２１ａ，２１ｂ）と、前記利用ユニット自己アドレス（５１ａ，５１ｂ）を保持する利用ユニットアドレス情報保持部（２４ａ，２４ｂ）と、を有する、
空気調和システム（１１０）。
【請求項７】
前記利用ユニット管理部（１４ａ，１４ｂ）は、前記利用ユニット（１０ａ，１０ｂ）に内蔵され、
前記熱源ユニット管理部（２１ａ，２１ｂ）は、前記熱源ユニット（２０ａ，２０ｂ）に内蔵される、
請求項６に記載の空気調和システム（１１０）。
【発明の詳細な説明】
【０００１】
【発明の属する技術分野】
本発明は、室内外機配管接続関係を確立する機能を有する空気調和システムに関する。また、本発明は、空気調和機の室内外機配管接続関係を確立する空気調和システムの室内外機配管接続関係確立方法および室内外機配管接続関係確立プログラムにも関する。
【０００２】
【従来の技術】
平成１３年８月１０日に、複数の室内機と複数の室外機とが通信ネットワークを介して接続される空気調和システムにおいて室内熱交換器の温度変化などを利用してその室内機のアドレスを自動生成する装置の発明が特許として登録されている（特許文献１参照。）。
【０００３】
【特許文献１】
特許第３２１９５６８号明細書（第２−４項、第１図）
【０００４】
【発明が解決しようとする課題】
ところが、この特許発明には、室内外機の配管接続関係を確立するところまでは開示されていない。しかし、室内外機の配管接続関係の確立は、きめ細かい空調制御する上で、重要な因子となってくる。
本発明の課題は、きめ細かい空調制御することができるように室内外機の配管接続関係を確立することができる空気調和システム、および空気調和システムの室内外機配管接続関係確立方法および室内外機配管接続関係確立プログラムを提供することにある。
【０００５】
【課題を解決するための手段】
請求項１に記載の空気調和システムは、第１空気調和機、第２空気調和機、および通信ネットワークを備える。なお、ここにいう「空気調和機」とは、冷媒式マルチ式空気調和機、水熱源式マルチ式空気調和機、またはセントラル式空気調和機などである。また、「通信ネットワーク」は有線であっても無線であってもよい。第１空気調和機は、１または複数の熱源ユニットと複数の利用ユニットとから構成される。なお、ここにいう「利用ユニット」とは、室内機（ファンコイル、またはＶＡＶなど）などである。利用ユニットは、配管またはダクトを介して熱源ユニットと接続される。なお、ここにいう「配管」とは、冷媒ガス管、冷媒液管、または冷温水配管などである。第２空気調和機は、１または複数の熱源ユニットと複数の利用ユニットとから構成される。利用ユニットは、配管またはダクトを介して熱源ユニットと接続される。通信ネットワークは、第１空気調和機の熱源ユニット、第１空気調和機の利用ユニット、第２空気調和機の熱源ユニット、および第２空気調和機の利用ユニットを通信接続する。そして、第１空気調和機および第２空気調和機の利用ユニットそれぞれは、その内部またはその近傍に、利用ユニット自己アドレス保持部、イベント検出部、およびブロードキャスト部を有する。利用ユニット自己アドレス保持部は、利用ユニット自己アドレスを保持する。イベント検出部は、熱源ユニットの一部または全部の運転により配管またはダクトを介して発生するイベントを検出する。なお、ここにいう「熱源ユニットの一部」とは、圧縮機、ボイラーまたは冷温水ポンプなどを意味する。また、ここにいう「イベント」とは、（１）利用ユニットの熱交換器（その内部を含む。）、利用ユニットの内部もしくはその近傍に配置される配管（その内部を含む。）もしくはダクト（その内部を含む。）、または利用ユニットの吸い込み口の温度の変化または温度の所定温度への到達、（２）利用ユニットの熱交換器、または利用ユニットの内部もしくはその近傍に配置される配管もしくはダクトの振動の発生、（３）利用ユニットの熱交換器、または利用ユニットの内部もしくはその近傍に配置される配管もしくはダクトの内部圧力の変化または内部圧力の所定圧力への到達などである。ブロードキャスト部は、イベントの検出に反応して利用ユニット自己アドレスを通信ネットワーク上にブロードキャストする。なお、ここにいう「自己アドレス」とは、ＩＰｖ６のアドレスやメーカー名と出荷機種番号との組合せにより構成されるアドレスなどである。また、第１空気調和機および第２空気調和機の熱源ユニットそれぞれは、その内部またはその近傍に、受信部、および利用ユニットアドレス情報保持部を有する。受信部は、通信ネットワーク上にブロードキャストされる利用ユニット自己アドレスを受信する。利用ユニットアドレス情報保持部は、利用ユニットアドレステーブルを保持する。この利用ユニットアドレステーブルには、利用ユニット自己アドレスが登録される。
【０００６】
ここでは、空気調和システムに属する全ての利用ユニットが運転され、続いて、複数の熱源ユニットのうちいずれか１台または１組の熱源ユニットの一部または全部が運転されると、第１空気調和機または第２空気調和機の利用ユニットそれぞれの内部またはその近傍において、イベント検出部が、熱源ユニットの一部または全部の運転により配管またはダクトを介して発生するイベントを検出する。そして、ブロードキャスト部が、イベントの検出に反応して利用ユニット自己アドレスを通信ネットワーク上にブロードキャストする。続いて、第１空気調和機または第２空気調和機の熱源ユニットの内部またはその近傍において、受信部が、通信ネットワーク上にブロードキャストされる利用ユニット自己アドレスを受信する。そして、利用ユニットアドレステーブルに、それらの利用ユニット自己アドレスが登録される。このため、熱源ユニットは、その熱源ユニットに接続されるすべての利用ユニットの自己アドレスを、その内部または近傍に保持することができる。したがって、この熱源ユニットは、利用ユニットそれぞれの制御用情報（温度、湿度、または圧力など。）を取得することができる。この結果、本空気調和システムは、きめ細かな空調制御を行うことができる。
【０００７】
請求項２に記載の空気調和システムは、請求項１に記載の空気調和システムであって、ブロードキャスト部は、イベントの検出時刻情報とともに利用ユニット自己アドレスを通信ネットワーク上にブロードキャストする。また、利用ユニットアドレステーブルには、利用ユニット自己アドレスとともにイベントの検出時刻情報が登録される。
【０００８】
イベント発生のタイミングは、熱源ユニットと利用ユニットとの距離に依存する。このため、ここでは、利用ユニット自己アドレスとイベントの検出時刻情報とを利用して、利用ユニットの取り付け位置を推定することができる。また、この推定結果は、空調機監視盤の画面上の利用ユニットアイコンの配置などに利用することができる。
【０００９】
請求項３に記載の空気調和システムは、請求項１または２に記載の空気調和システムであって、イベントは、（１）利用ユニットの熱交換器（その内部を含む。）、利用ユニットの内部もしくはその近傍に配置される配管（その内部を含む。）もしくはダクト（その内部を含む。）、または利用ユニットの吸い込み口の温度の変化または温度の所定温度への到達、（２）利用ユニットの熱交換器、または利用ユニットの内部もしくはその近傍に配置される配管もしくはダクトの振動の発生、（３）利用ユニットの熱交換器、または利用ユニットの内部もしくはその近傍に配置される配管もしくはダクトの内部圧力の変化または内部圧力の所定圧力への到達のうち少なくとも１つを含む。
【００１０】
ここでは、空気調和システムに属する空気調和機の種類に適したイベントを選択することができる。このため、種々の空気調和機を有する空気調システムにおいて、適切に室内外機の配管接続関係を確立することができる。
請求項４に記載の空気調和機の室内外機配管接続関係確立方法は、請求項１から３のいずれかに記載の空気調和システムにおいて、利用ユニットと熱源ユニットとの配管またはダクトの接続関係を確立する空気調和システムの室内外機配管接続関係確立方法であって、第１運転ステップ、第２運転ステップ、イベント検出ステップ、ブロードキャストステップ、および利用ユニット自己アドレス登録ステップを備える。第１運転ステップでは、空気調和システムに属する全ての利用ユニットが運転される。第２運転ステップでは、複数の熱源ユニットのうちいずれか１台または１組の熱源ユニットの一部または全部が運転される。イベント検出ステップでは、イベント検出部がイベントを検出する。ブロードキャストステップでは、ブロードキャスト部がイベントの検出に反応して利用ユニット自己アドレスを通信ネットワーク上にブロードキャストする。利用ユニット自己アドレス登録ステップでは、利用ユニットアドレステーブルに、通信ネットワーク上にブロードキャストされた利用ユニット自己アドレスを登録する。
【００１１】
ここでは、この空気調和機の室内外機配管接続関係確立方法が実施されると、先ず、第１運転ステップで、空気調和システムに属する全ての利用ユニットが運転される。続いて、第２運転ステップで、複数の熱源ユニットのうちいずれか１台または１組の熱源ユニットの一部または全部が運転される。しばらくすると、イベント検出ステップで、イベント検出部がイベントを検出する。そして、ブロードキャストステップで、ブロードキャスト部がイベントの検出に反応して利用ユニット自己アドレスを通信ネットワーク上にブロードキャストする。最後に、利用ユニット自己アドレス登録ステップで、利用ユニットアドレステーブルに、通信ネットワーク上にブロードキャストされた利用ユニット自己アドレスが登録される。このため、熱源ユニットは、その熱源ユニットに接続されるすべての利用ユニットの自己アドレスを、その内部または近傍に保持することができる。したがって、この熱源ユニットは、利用ユニットそれぞれの制御用情報（温度、湿度、または圧力など。）を取得することができる。この結果、本空気調和システムは、きめ細かな空調制御を行うことができる。
【００１２】
請求項５に記載の空気調和機の室内外機配管接続関係確立プログラムは、請求項１から３のいずれかに記載の空気調和システムにおいて、利用ユニットと熱源ユニットとの配管またはダクトの接続関係を確立する空気調和システムの室内外機配管接続関係確立プログラムであって、ブロードキャスト指令ステップ、および利用ユニット自己アドレス登録指令ステップを備える。ブロードキャスト指令ステップでは、イベント検出部においてイベントが検出された場合に、利用ユニット自己アドレスを通信ネットワーク上にブロードキャストするように指令が出される。利用ユニット自己アドレス登録指令ステップでは、通信ネットワーク上にブロードキャストされた利用ユニット自己アドレスを、利用ユニットアドレステーブルに登録するように指令が出される。
【００１３】
ここでは、この空気調和機の室内外機配管接続関係確立プログラムが、空気調和システムの全ての利用ユニット、および第１空気調和機または第２空気調和機の熱源ユニットの一部または全部が運転された状態で実行されると、イベント検出部においてイベントが検出された場合に、ブロードキャスト指令ステップで、利用ユニット自己アドレスを通信ネットワーク上にブロードキャストするように指令が出される。そして、利用ユニット自己アドレス登録指令ステップで、通信ネットワーク上にブロードキャストされた利用ユニット自己アドレスを、利用ユニットアドレステーブルに登録するように指令が出される。このため、熱源ユニットは、その熱源ユニットに接続されるすべての利用ユニットの自己アドレスを、その内部または近傍に保持することができる。したがって、この熱源ユニットは、利用ユニットそれぞれの制御用情報（温度、湿度、または圧力など。）を取得することができる。この結果、本空気調和システムは、きめ細かな空調制御を行うことができる。
【００１４】
請求項６に記載の空気調和システムは、複数の空気調和機、利用ユニット管理部、熱源ユニット管理部、および通信ネットワークを備える。空気調和機は、１または複数の熱源ユニット、および複数の利用ユニットから構成される。利用ユニットは、配管またはダクトを介して熱源ユニットと接続される。利用ユニット管理部は、利用ユニットそれぞれに対して設けられ、利用ユニットを管理する。熱源ユニット管理部は、熱源ユニットそれぞれに対して設けられ、熱源ユニットを管理する。通信ネットワークは、熱源ユニット管理部と利用ユニット管理部とを通信接続する。そして、利用ユニット管理部は、利用ユニット自己アドレス保持部、イベント検出部、およびブロードキャスト部を有する。利用ユニット自己アドレス保持部は、利用ユニット自己アドレスを保持する。イベント検出部は、熱源ユニットの一部または全部の運転により配管またはダクトを介して発生するイベントを検出する。ブロードキャスト部は、イベントの検出に反応して利用ユニット自己アドレスを通信ネットワーク上にブロードキャストする。また、熱源ユニット管理部は、受信部、および利用ユニットアドレス情報保持部を有する。受信部は、通信ネットワーク上にブロードキャストされる利用ユニット自己アドレスを受信する。利用ユニットアドレス情報保持部は、利用ユニット自己アドレスを保持する。
【００１５】
ここでは、空気調和システムに属する全ての利用ユニットが運転され、続いて、複数の熱源ユニットのうちいずれか１台または１組の熱源ユニットの一部または全部が運転されると、利用ユニット管理部において、イベント検出部が、熱源ユニットの一部または全部の運転により配管またはダクトを介して発生するイベントを検出する。そして、ブロードキャスト部が、イベントの検出に反応して利用ユニット自己アドレスを通信ネットワーク上にブロードキャストする。続いて、熱源ユニット管理部において、受信部が、通信ネットワーク上にブロードキャストされる利用ユニット自己アドレスを受信する。そして、利用ユニットアドレス情報保持部が、その利用ユニット自己アドレスを保持する。このため、熱源ユニット管理部は、その熱源ユニットに接続されるすべての利用ユニットの自己アドレスを保持することができる。したがって、この熱源ユニット管理部は、利用ユニットそれぞれの制御用情報（温度、湿度、または圧力など。）を取得することができる。この結果、本空気調和システムは、きめ細かな空調制御を行うことができる。
【００１６】
請求項７に記載の空気調和システムは、請求項１に記載の空気調和システムであって、利用ユニット管理部は、利用ユニットに内蔵される。また、熱源ユニット管理部は、熱源ユニットに内蔵される。
ここでは、利用ユニットと利用ユニット管理部との対応関係、および熱源ユニットと熱源ユニット管理部との対応関係などが容易に把握されることができる。
【００１７】
【発明の実施の形態】
本実施の形態では、室内外機配管接続関係を確立する機能を有する空気調和システムについて説明する。
［システム構成］
図１には、本実施の形態に係る空気調和システム１１０のブロック図を示す。本空気調和システム１１０は、第１空気調和機１００ａおよび第２空気調和機１００ｂから構成される。第１空気調和機１００ａおよび第２空気調和機１００ｂは、室内機１０ａ，１０ｂおよび室外機２０ａ，２０ｂを備える。
【００１８】
［システム構成要素の接続形態］
図１に示されるように、第１空気調和機１００ａの室内機１０ａは、冷媒配管３０ａを介して第１空気調和機１００ａの室外機２０ａに接続される。また、第２空気調和機１００ｂの室内機１０ｂは、冷媒配管３０ｂを介して第２空気調和機１００ｂの室外機２０ｂに接続される。さらに、第１空気調和機１００ａの室内機１０ａ、第１空気調和機１００ａの室外機２０ａ、第２空気調和機１００ｂの室内機１０ｂ、および第２空気調和機１００ｂの室外機２０ｂは、通信ネットワーク４０を介して接続される。
【００１９】
［構成要素］
（１）室内機１０ａ，１０ｂ
図２には、室内機１０ａ，１０ｂの簡易構成図を示す。室内機１０ａ，１０ｂは、室内熱交換器１１ａ，１１ｂ、室内ファン１３ａ，１３ｂ、第１制御部１４ａ，１４ｂ、および温度センサ１２ａ，１２ｂを備える。なお、温度センサ１２ａ，１２ｂは、室内熱交換器１１ａ，１１ｂのごく近傍に設けられる。また、第１制御部１４ａ，１４ｂは、通信インターフェイス１５ａ，１５ｂ、ＣＰＵ１６ａ，１６ｂ、および不揮発性メモリ１７ａ，１７ｂを備える。ＣＰＵ１６ａ，１６ｂは、不揮発性メモリ１７ａ，１７ｂに保持されている第１プログラム５２ａ，５２ｂを実行する。不揮発性メモリ１７ａ，１７ｂには、第１プログラム５２ａ，５２ｂ、室内機自己アドレス５１ａ，５１ｂ、室外機アドレスボックス５３ａ，５３ｂが保持されている。第１プログラム５２ａ，５２ｂは、温度センサ１２ａ，１２ｂから得られる温度情報を利用して、不揮発性メモリ１７ａ，１７ｂに保持されている室内機自己アドレス５１ａ，５１ｂを通信ネットワーク４０上にブロードキャストする。また、この第１プログラム５２ａ，５２ｂは、室外機２０ａ，２０ｂから送信される室外機自己アドレス２６ａ，２６ｂを受信し、室外機アドレスボックス５３ａ，５３ｂに格納する。室内機自己アドレス５１ａ，５１ｂは、ＩＰｖ６のアドレスにより表されている。室外機アドレスボックス５３ａ，５３ｂには、室外機２０ａ，２０ｂから送信される室外機自己アドレス２６ａ，２６ｂが格納される。
【００２０】
（２）室外機２０ａ，２０ｂ
図３には、室外機２０ａ，２０ｂの簡易構成図を示す。室外機２０ａ，２０ｂは、第２制御部２１ａ，２１ｂを備える。第２制御部２１ａ，２１ｂは、通信インターフェイス２２ａ，２２ｂ、ＣＰＵ２３ａ，２３ｂ、および不揮発性メモリ２４ａ，２４ｂを備える。ＣＰＵ２３ａ，２３ｂは、不揮発性メモリ２４ａ，２４ｂに保持されている第２プログラム２５ａ，２５ｂを実行する。不揮発性メモリ２４ａ，２４ｂには、第２プログラム２５ａ，２５ｂ、室外機自己アドレス２６ａ，２６ｂ、室内機アドレステーブル２７ａ，２７ｂが保持されている。第２プログラム２５ａ，２５ｂは、通信ネットワーク４０上にブロードキャストされる室内機自己アドレス５１ａ，５１ｂを受信し、室内機アドレステーブル２７ａ，２７ｂに格納する。また、この第２プログラム２５ａ，２５ｂは、不揮発性メモリ２４ａ，２４ｂに保持されている室外機自己アドレス２６ａ，２６ｂを、通信ネットワーク４０を介して室内機１０ａ，１０ｂに送信する。室外機自己アドレス２６ａ，２６ｂは、ＩＰｖ６のアドレスにより表されている。室内機アドレステーブル２７ａ，２７ｂには、室内機１０ａ，１０ｂが通信ネットワーク上にブロードキャストする室内機自己アドレス５１ａ，５１ｂが格納される。
【００２１】
［室内外機の配管接続関係を確立する流れ］
図４には、室内外機の配管接続関係を確立する流れを表すフローチャートを示す。
図４において、ステップＳ１１では、作業者などが、第１空気調和機１００ａまたは第２空気調和機１００ｂの室外機２０ａ，２０ｂの電源、および空気調和システム１１０のすべての室内機１０ａ，１０ｂの電源を投入する（なお、この状態では、室外機２０ａ，２０ｂの圧縮機モータは回っていない。ただし、室内機１０ａ，１０ｂのファンモータは動作させておく。）。ステップＳ１２では、第１制御部１４ａ，１４ｂのＣＰＵ１６ａ，１６ｂが、第１プログラム５２ａ，５２ｂを実行する。ステップＳ１３では、第２制御部２１ａ，２１ｂのＣＰＵ２３ａ，２３ｂが、第２プログラム２５ａ，２５ｂを実行する。ステップＳ１４では、作業員などが、室外機２０ａ，２０ｂの圧縮機モータを駆動させる。ステップＳ１５では、第１プログラム５２ａ，５２ｂが、温度センサ１２ａ，１２ｂから得られる温度情報を監視しながら、室内熱交換器１１ａ，１１ｂの温度が所定の温度に至ったかを確認する。ステップＳ１５の確認の結果、室内熱交換器１１ａ，１１ｂの温度が所定の温度に至った場合は、ステップＳ１６に移る。ステップＳ１５の確認の結果、室内熱交換器１１ａ，１１ｂの温度が所定の温度に至っていない場合は、ステップＳ１５に戻る。ステップＳ１６では、第１プログラム５２ａ，５２ｂが、不揮発性メモリ１７ａ，１７ｂに保持されている室内機自己アドレス５１ａ，５１ｂを通信インターフェイス１５ａ，１５ｂを介して通信ネットワーク４０上にブロードキャストする。ステップＳ１７では、第２プログラム２５ａ，２５ｂが、ステップＳ１６において通信ネットワーク４０上にブロードキャストされた室内機自己アドレス５１ａ，５１ｂを、通信インターフェイス２２ａ，２２ｂを介して受信する。ステップＳ１８では、第２プログラム２５ａ，２５ｂが、その室内機自己アドレス５１ａ，５１ｂを室内機アドレステーブル２７ａ，２７ｂに登録する。ステップＳ１９では、第２プログラム２５ａ，２５ｂが、最初の受信から１０分後に、不揮発性メモリ２４ａ，２４ｂに保持される室外機自己アドレス２６ａ，２６ｂを、室内機アドレステーブル２７ａ、２７ｂに登録された室内機自己アドレス５１ａ，５１ｂを有する室内機１０ａ，１０ｂに対して送信する。ステップＳ２０では、第１プログラム５２ａ，５２ｂが、通信インターフェイス１５ａ，１５ｂを介して室外機自己アドレス２６ａ，２６ｂを受信する。ステップＳ２１では、第１プログラム５２ａ，５２ｂが、室外機自己アドレス２６ａ，２６ｂを室外機アドレスボックス５３ａ，５３ｂに登録する。
【００２２】
［空気調和システム１１０の特徴］
本実施の形態に係る空気調和システム１１０では、室外機２０ａ，２０ｂが、同系統の冷媒配管３０ａ，３０ｂに接続される室内機１０ａ，１０ｂの自己アドレス５１ａ，５１ｂを室内機アドレステーブル２７ａ，２７ｂに登録することができる。このため、室外機２０ａ，２０ｂは、室内機１０ａ，１０ｂそれぞれの制御用情報（温度、湿度、または圧力など。）を取得することができる。この結果、本空気調和システム１１０は、きめ細かな空調制御を行うことができる。
【００２３】
＜変形例＞
（１）
先の実施の形態に係る空気調和システム１１０では、第１空気調和機１００ａの室内機１０ａ、第１空気調和機１００ａの室外機２０ａ、第２空気調和機１００ｂの室内機１０ｂ、および第２空気調和機１００ｂの室外機２０ｂが通信ネットワーク４０を介して接続された。しかし、本発明は、このような形態の空気調和システム１１０にのみ適用できるわけではない。本発明は、第１空気調和機１００ａの室内機１０ａとその室外機２０ａとが通信ネットワークで接続された形態にも適用可能である。
【００２４】
（２）
先の実施の形態に係る空気調和システム１１０では、第１空気調和機１００ａおよび第２空気調和機１００ｂが冷媒式マルチ式空気調和機であったが、第１空気調和機１００ａおよび第２空気調和機１００ｂは、セントラル式空気調和機であってもかまわない。この場合は、温度センサ１２ａ，１２ｂをダクト内に挿入すればよい。また、第１空気調和機１００ａおよび第２空気調和機１００ｂは、水熱源式マルチ式空気調和機であってもかまわない。この場合は、先の実施の形態と同様に、温度センサ１２ａ，１２ｂを室内熱交換器のごく近傍に設けることができる。
【００２５】
（３）
先の実施の形態に係る空気調和システム１１０では、温度センサ１２ａ，１２ｂが室内熱交換器１１ａ，１１ｂのごく近傍に設けられたが、室内機１０ａ，１０ｂに室内ファン１３ａ，１３ｂの吸い込み温度検出用の温度センサがあらかじめ設けられている場合には、この温度センサを利用してもよい。
【００２６】
（４）
先の実施の形態に係る空気調和システム１１０では、温度センサ１２ａ，１２ｂが、室内熱交換器１１ａ，１１ｂのごく近傍に設けられたが、これに代えて、温度センサ１２ａ，１２ｂが、室内熱交換器１１ａ，１１ｂの内部に設けられてもよい。また、温度センサ１２ａ，１２ｂが、室内機１０ａ，１０ｂの内部または室内機１０ａ，１０ｂの近傍に配置される冷媒配管３０ａ，３０ｂ（冷媒配管は、ガス管であっても液管であってもよい。以下に同じ。）の近傍または冷媒配管３０ａ，３０ｂの内部に設けられてもよい。
【００２７】
（５）
先の実施の形態に係る空気調和システム１１０では、温度センサ１２ａ，１２ｂが、室内熱交換器１１ａ，１１ｂのごく近傍に設けられたが、これに代えて、振動センサが、室内機１０ａ，１０ｂの内部または室内機１０ａ，１０ｂの近傍に配置される配管３０ａ，３０ｂや室内熱交換器１１ａ，１１ｂなどに設けられてもよい。このようにすれば、室外機２０ａ，２０ｂの運転により発生する冷媒配管３０ａ，３０ｂの振動を利用して室内外機の配管接続関係を確立することができる。
【００２８】
（６）
先の実施の形態に係る空気調和システム１１０では、温度センサ１２ａ，１２ｂが、室内熱交換器１１ａ，１１ｂのごく近傍に設けられたが、これに代えて、圧力センサが、室内熱交換器１１ａ，１１ｂの内部または室内機１０ａ，１０ｂの内部もしくは室内機１０ａ，１０ｂの近傍に配置される冷媒配管３０ａ，３０ｂの内部に設けられてもよい。このようにすれば、冷媒ガスの圧力や冷媒液の液圧などを利用して室内外機の配管接続関係を確立することができる。
【００２９】
（７）
先の実施の形態に係る空気調和システム１１０では、室内機自己アドレス５１ａ，５１ｂが通信ネットワーク４０上にブロードキャストされたが、これに代えて、室内機自己アドレス５１ａ，５１ｂがブロードキャストされた時刻の情報を室内機自己アドレスとともにブロードキャストしてもよい。このようにすれば、室内機１０ａ，１０ｂの取り付け位置を推定することができる。
【００３０】
（８）
先の実施の形態に係る空気調和システム１１０では、作業者などが、第１空気調和機１００ａまたは第２空気調和機１００ｂの室外機２０ａ，２０ｂおよび室内機１０ａ，１０ｂを運転させたが、１つの建造物に十数系統の空気調和機が導入される場合は、プログラムにより、連続的にそれらを運転させるようにしてもかまわない。このようにすれば、作業効率を向上することができる。
【００３１】
（９）
先の実施の形態に係る空気調和システム１１０では、室内機自己アドレス５１ａ，５１ｂおよび室外機自己アドレス２６ａ，２６ｂがＩＰｖ６のアドレスにより表されていたが、これに代えて、室内機自己アドレス５１ａ，５１ｂおよび室外機自己アドレス２６ａ，２６ｂがメーカー名と出荷機種番号との組合せにより表されていてもよい。
【００３２】
【発明の効果】
請求項１に係る空気調和システムでは、空気調和システムに属する全ての利用ユニットが運転され、続いて、複数の熱源ユニットのうちいずれか１台または１組の熱源ユニットの一部または全部が運転されると、第１空気調和機または第２空気調和機の利用ユニットそれぞれの内部またはその近傍において、イベント検出部が、熱源ユニットの一部または全部の運転により配管またはダクトを介して発生するイベントを検出する。そして、ブロードキャスト部が、イベントの検出に反応して利用ユニット自己アドレスを通信ネットワーク上にブロードキャストする。続いて、第１空気調和機または第２空気調和機の熱源ユニットの内部またはその近傍において、受信部が、通信ネットワーク上にブロードキャストされる利用ユニット自己アドレスを受信する。そして、利用ユニットアドレステーブルに、それらの利用ユニット自己アドレスが登録される。このため、熱源ユニットは、その熱源ユニットに接続されるすべての利用ユニットの自己アドレスを、その内部または近傍に保持することができる。したがって、この熱源ユニットは、利用ユニットそれぞれの制御用情報（温度、湿度、または圧力など。）を取得することができる。この結果、本空気調和システムは、きめ細かな空調制御を行うことができる。
【００３３】
請求項２に係る空気調和システムでは、利用ユニット自己アドレスとイベントの検出時刻情報とを利用して、利用ユニットの取り付け位置を推定することができる。また、この推定結果は、空調機監視盤の画面上の利用ユニットアイコンの配置などに利用することができる。
請求項３に係る空気調和システムでは、空気調和システムに属する空気調和機の種類に適したイベントを選択することができる。このため、種々の空気調和機を有する空気調システムにおいて、適切に室内外機の配管接続関係を確立することができる。
【００３４】
請求項４に係る空気調和機の室内外機配管接続関係確立方法が実施されると、先ず、第１運転ステップで、空気調和システムに属する全ての利用ユニットが運転される。続いて、第２運転ステップで、複数の熱源ユニットのうちいずれか１台または１組の熱源ユニットの一部または全部が運転される。しばらくすると、イベント検出ステップで、イベント検出部がイベントを検出する。そして、ブロードキャストステップで、ブロードキャスト部がイベントの検出に反応して利用ユニット自己アドレスを通信ネットワーク上にブロードキャストする。最後に、利用ユニット自己アドレス登録ステップで、利用ユニットアドレステーブルに、通信ネットワーク上にブロードキャストされた利用ユニット自己アドレスが登録される。このため、熱源ユニットは、その熱源ユニットに接続されるすべての利用ユニットの自己アドレスを、その内部または近傍に保持することができる。したがって、この熱源ユニットは、利用ユニットそれぞれの制御用情報（温度、湿度、または圧力など。）を取得することができる。この結果、本空気調和システムは、きめ細かな空調制御を行うことができる。
【００３５】
請求項５に係る空気調和機の室内外機配管接続関係確立プログラムが、空気調和システムの全ての利用ユニット、および第１空気調和機または第２空気調和機の熱源ユニットの一部または全部が運転された状態で実行されると、イベント検出部においてイベントが検出された場合に、ブロードキャスト指令ステップで、利用ユニット自己アドレスを通信ネットワーク上にブロードキャストするように指令が出される。そして、利用ユニット自己アドレス登録指令ステップで、通信ネットワーク上にブロードキャストされた利用ユニット自己アドレスを、利用ユニットアドレステーブルに登録するように指令が出される。このため、熱源ユニットは、その熱源ユニットに接続されるすべての利用ユニットの自己アドレスを、その内部または近傍に保持することができる。したがって、この熱源ユニットは、利用ユニットそれぞれの制御用情報（温度、湿度、または圧力など。）を取得することができる。この結果、本空気調和システムは、きめ細かな空調制御を行うことができる。
【００３６】
請求項６に係る空気調和システムでは、空気調和システムに属する全ての利用ユニットが運転され、続いて、複数の熱源ユニットのうちいずれか１台または１組の熱源ユニットの一部または全部が運転されると、利用ユニット管理部において、イベント検出部が、熱源ユニットの一部または全部の運転により配管またはダクトを介して発生するイベントを検出する。そして、ブロードキャスト部が、イベントの検出に反応して利用ユニット自己アドレスを通信ネットワーク上にブロードキャストする。続いて、熱源ユニット管理部において、受信部が、通信ネットワーク上にブロードキャストされる利用ユニット自己アドレスを受信する。そして、利用ユニットアドレス情報保持部が、その利用ユニット自己アドレスを保持する。このため、熱源ユニット管理部は、その熱源ユニットに接続されるすべての利用ユニットの自己アドレスを保持することができる。したがって、この熱源ユニット管理部は、利用ユニットそれぞれの制御用情報（温度、湿度、または圧力など。）を取得することができる。この結果、本空気調和システムは、きめ細かな空調制御を行うことができる。
【００３７】
請求項７に係る空気調和システムでは、利用ユニットと利用ユニット管理部との対応関係、および熱源ユニットと熱源ユニット管理部との対応関係などが容易に把握されることができる。
【図面の簡単な説明】
【図１】空気調和システム１１０のブロック図。
【図２】室内機１０ａ，１０ｂの簡易構成図。
【図３】室外機２０ａ，２０ｂの簡易構成図。
【図４】室内外機の配管接続関係を確立する流れを表すフローチャート。
【符号の説明】
１０ａ，１０ｂ                    室内機
１１ａ，１１ｂ                    室内熱交換器
１２ａ，１２ｂ                    温度センサ
１３ａ，１３ｂ                    室内ファン
１４ａ，１４ｂ                    第１制御部
１５ａ，１５ｂ，２２ａ，２２ｂ    通信インターフェイス
１６ａ，１６ｂ，２３ａ，２３ｂ    ＣＰＵ
１７ａ，１７ｂ，２４ａ，２４ｂ    不揮発性メモリ
２０ａ，２０ｂ                    室外機
２１ａ，２１ｂ                    第２制御部
２５ａ，２５ｂ                    第２プログラム
２６ａ，２６ｂ                    室外機自己アドレス
２７ａ，２７ｂ                    室内機アドレステーブル
３０ａ，３０ｂ                    冷媒配管
４０                              通信ネットワーク
５１ａ，５１ｂ                    室内機自己アドレス
５２ａ，５２ｂ                    第１プログラム
５３ａ，５３ｂ                    室外機アドレスボックス
１００ａ                            第１空気調和機
１００ｂ                            第２空気調和機
１１０                              空気調和システム
【図１】
2004353948.tif 000003
【図２】
2004353948.tif 000004
【図３】
2004353948.tif 000005
【図４】
2004353948.tif 000006